【手続補正書】
【提出日】平成19年1月12日(2007.1.12)
【手続補正１】
【補正対象書類名】特許請求の範囲
【補正対象項目名】全文
【補正方法】変更
【補正の内容】
【特許請求の範囲】
【請求項１】
第一種類の位置検出を第二種類の位置検出と共に提供するための検出器であって、
センサと、
前記センサ内に延びる感知導体のパターン化された配列と、
前記配列に関連付けられ、第一種類の前記位置検出から生じる信号および第二種類の前記位置検出から生じる信号を同一感知導体で検出し、そこから前記センサにおける位置を検出するための検出回路機構と
を備えた検出器。
【請求項２】
第一種類の前記位置検出は、電磁界を生成することのできる対象物の電磁気ベース対象物検出を含む請求項１に記載の検出器。
【請求項３】
第一種類の前記位置検出は、静電容量に基づくタッチ検出を含む請求項１に記載の検出器。
【請求項４】
第一種類の前記位置検出は、電磁界を生成することのできる対象物の電磁気ベース対象物検出を含み、第二種類の前記位置検出は、静電容量に基づくタッチ検出を含む請求項１に記載の検出器。
【請求項５】
前記検出回路機構は、前記第一種類の相互作用および前記第二種類の相互作用を同時に検出することができる請求項１ないし４のいずれかに記載の検出器。
【請求項６】
前記検出回路機構は、前記第一種類の相互作用および前記第二種類の相互作用を独立に検出することができる請求項１ないし４のいずれかに記載の検出器。
【請求項７】
前記センサは検出領域上に配置され、かつ発振信号を、前記感知導体と、電磁スタイラス型対象物の共振回路を励磁させることのできる励磁信号を提供するための励磁回路機構と、に提供するための少なくとも１つの発振器を備え、前記パターン化された配列は前記検出領域全体に延び、前記検出回路機構は、指タッチのような導電性対象物の容量効果、および前記スタイラス型対象物からの信号を、感知導体の少なくとも一つにおいて検出するのに適応した、請求項４に記載の検出器。
【請求項８】
前記電磁気ベース対象物が、励磁回路機構を備え、前記励磁信号が前記励磁回路機構を励磁するのに適応した、請求項７に記載の検出器。
【請求項９】
前記センサは実質的に透明であり、かつディスプレイスクリーン上に配置するのに適している請求項１ないし８のいずれかに記載の検出器。
【請求項１０】
前記検出領域はディスプレイスクリーンの表面であり、前記感知導体を含む前記センサは実質的に透明である請求項７に記載の検出器。
【請求項１１】
前記検出回路機構は、前記導体の出力間の差分を検出するために、前記感知導体に関連付けられた差分検出器配列を備える請求項１ないし１０のいずれかに記載の検出器。
【請求項１２】
前記感知回路機構は、前記発振信号の伝達にさらされる導電性対象物の接触によって誘導される、感知導体の少なくとも一つにおいて信号を感知するように構成される請求項７に記載の検出器。
【請求項１３】
前記センサ内に配置されかつ前記一つの導電素子との接合部を有する少なくとも第二感知導体が設けられ、前記発振器は感知導体の少なくとも１つに適用され、前記検出器は前記第二感知導体で結果的に生じる発振信号を検出するように構成され、前記結果的に生じる信号は前記接合部における導電性対象物の接触により生じ、それから前記接触を推測する、請求項７に記載の検出器。
【請求項１４】
前記検出回路機構は、多数の接触対象物としての解釈のために、前記少なくとも第二感知導体で信号を検出するのに適応した請求項１３に記載の検出器。
【請求項１５】
複数の電磁気ベース対象物は、検出された信号の特性の解釈に基づいて検出することができる請求項２に記載の検出器。
【請求項１６】
複数の導電性対象物は、検出された信号の特性の解釈に基づいて検出されることができる請求項３に記載の検出器。
【請求項１７】
前記発振器は、前記検出器、前記検出器の一部分、および少なくとも一つの感知導体のうちの少なくとも一つを基準電圧レベルに対して振動させ、それによって接触している導電性対象物と前記少なくとも一つの感知導体との間の容量性電流の流れを可能にするように接続される請求項７に記載の検出器。
【請求項１８】
ディスプレイスクリーン上に配置された透明なセンサとの容量結合を行なう導電性対象物による接触を検出するための検出器であって、前記センサ内に延びる感知導体のパターン化された配列と、予め定められた周波数の発振電気信号の供給源と、前記発振電気信号が印加されたときに少なくとも一つの感知導体に対する容量性影響を検出するための検出回路機構とを備えた検出器。
【請求項１９】
前記検出回路機構は、前記導体の出力間の差分を検出するために、前記感知導体に関連付けられた差分検出器配列を備える請求項１８に記載の検出器。
【請求項２０】
前記発振電気信号の供給源は前記信号を前記導電性対象物に伝達するように構成され、前記感知回路機構は、前記伝達される発振信号にさらされる導電性対象物の接触によって誘導される、前記少なくとも一つの感知導体における信号を感知するように構成される請求項１８又は１９に記載の検出器。
【請求項２１】
多数の接触する導電性対象物に関して、前記少なくとも一つの感知導体において検出された信号の特性を解釈するように構成される請求項１８ないし２０のいずれかに記載の検出器。
【請求項２２】
前記センサ内に配置されかつ前記少なくとも一つの感知導体との接合部を有する少なくとも第二感知導体が設けられ、前記発振電気信号の供給源は前記導体の一つに適用され、前記検出器は前記第二感知導体において結果的に生じる発振信号を検出するように構成され、前記結果的に生じる発振信号は前記接合部での導電性対象物の接触により生じ、前記接触を推測する請求項１８ないし２１のいずれかに記載の検出器。
【請求項２３】
第一方向に整列した第一センサおよび第二方向に整列した第二センサから成り、それらの間に複数の接合部を持つ、マトリックスを含み、さらに、各接合部のキャパシタンス値により生成される漏れ信号のタビュレーションを含み、前記検出器は、各導体における読みを補正するために、前記漏れ信号値を使用するように構成される請求項２２に記載の検出器。
【請求項２４】
前記発振電気信号の供給源は、前記検出器、前記検出器の一部分、および前記少なくとも一つの感知導体のうちの少なくとも一つを基準電圧レベルに対して振動させ、それによって前記導電性対象物と前記少なくとも一つの感知導体との間の容量性電流の流れを可能にするように接続される請求項１８ないし２３のいずれかに記載の検出器。
【請求項２５】
前記センサは、その一層内に配設されたグリッド状の感知導体を含む請求項１８ないし２４のいずれかに記載の検出器。
【請求項２６】
前記感知導体は一対ずつ増幅器に接続される請求項１８ないし２５のいずれかに記載の検出器。
【請求項２７】
前記増幅器は、各々正の入力および負の入力を有する差動増幅器であり、前記対の一つの感知導体は前記正の入力に接続され、前記対の第二感知導体は前記負の入力に接続される請求項２６に記載の検出器。
【請求項２８】
寄生キャパシタンス値から生じる漏れ信号を補償するために各導体における補償値を提供するための補償テーブルをさらに含む請求項２４に記載の検出器。
【請求項２９】
システムの始動時に前記補償テーブルを更新するように構成される請求項２８に記載の検出器。
【請求項３０】
前記補償テーブルをリフレッシュするためのトリガとして、曖昧な対象物の検出を使用するように構成される請求項２８に記載の検出器。
【請求項３１】
検出された信号からの数、位相、および位置データの組合せのいずれもが、対象物の検出の曖昧さを画定するために使用される請求項３０に記載の検出器。
【請求項３２】
前記差動増幅気の各入力における、入力キャパシタンスの差からの、各差動増幅器の出力結果における補償値を提供するための補償テーブルをさらに備える、請求項２７に記載の検出器。
【請求項３３】
前記導電性対象物が、人体部分である、請求項１ないし３２のいずれかに記載の検出器。
【請求項３４】
電子ディスプレイスクリーン上の透明なセンサに配置されたマトリックス状の感知導体における接触感知の方法であって、予め定められた周波数の発振信号を提供すること、および接触による前記導体への容量効果について前記導体を測定すること、を含む方法。
【請求項３５】
外部発信装置に前記発振信号を提供して接触体部分を付勢することを含む請求項３４に記載の方法。
【請求項３６】
前記マトリックスは、第一方向に整列した導体の第一セット、および第二方向に整列した導体の第二セットを含み、前記方法は、前記導体の第一セットに前記発振信号を提供すること、および接触する導電性対象物により生じる容量性リンクにより前記信号が通過した前記導体の第二セットのいずれかで前記発振信号を感知することを含む請求項３４又は３５に記載の方法。
【請求項３７】
導電性接触体がそれぞれの導体から電流をドレーンするように、少なくとも前記導体に前記発振信号を提供することを含む請求項３４から３６のいずれかに記載の方法。